(57)【要約】      （修正有）【課題】使用感を良好なものとすることができるリングノート、及びこのリングノートの好ましい製造方法を提供する。【解決手段】綴じ孔を有した複数枚の用紙を合成樹脂製のリング４により綴じてなるリングノートであって、リングが、綴じ孔にそれぞれ挿通された複数のリング本体５と、これらリング本体の基端を相互に連結するとともに各リング本体の先端側を保持して各リング本体を閉環状に維持するベースとを具備してなり、リング本体が、用紙を綴じる環状部５１と、ベースに溶着された先端接続部とを備えたものであり、環状部が、外面側の両側縁に面取形状部分５７を備えた。【選択図】図６
2015174412.tif 000002
【特許請求の範囲】
【請求項１】
綴じ孔を有した複数枚の用紙を合成樹脂製のリングにより綴じてなるリングノートであって、
前記リングが、前記綴じ孔にそれぞれ挿通された複数のリング本体と、これらリング本体の基端を相互に連結するとともに前記各リング本体の先端側を保持して各リング本体を閉環状に維持するベースとを具備してなり、前記リング本体が、用紙を綴じる環状部と、前記ベースに溶着された先端接続部とを備えたものであり、前記環状部が、外面側の両側縁に面取形状部分を備えたものであるリングノート。
【請求項２】
前記環状部が、横断面において中央から両側縁に向かって漸次薄肉となる形状をなしている請求項１記載のリングノート。
【請求項３】
前記リングが、前記リング本体を形成するためのリング本体対応部と、前記ベースを形成するためのベース対応部とを備えたリング形成部材により作られたものであって、前記リング本体対応部が、環状部対応領域と、この環状部対応領域の先端側に連続して設けられた先端接続部対応領域とを備えたものであり、前記環状部対応領域を強制的に湾曲変形させて前記先端接続部対応領域をベース対応部に溶着することにより、前記環状部が前記環状部対応領域により形成されるものである請求項１または２記載のリングノート。
【請求項４】
請求項１、２または３記載のリングノートを製造する方法であって、
前記環状部に対応する環状部対応領域及び前記先端接続部に対応する先端接続部対応領域を備えたリング本体対応部と、前記ベースに対応するベース対応部とを備えた合成樹脂製のリング形成部材をインジェクション成型により一体に形成し、
このリング形成部材の複数のリング本体対応部を用紙の複数の綴じ孔にそれぞれ挿通し、
それら各リング本体対応部を湾曲変形させて当該リング本体対応部の先端接続部対応領域を前記ベース対応部に溶着し、
前記ベース対応部の主要部以外の部位及びこのベース対応部に溶着されているリング本体対応部の先端接続部対応領域の主要部以外の部位を切り離し、
前記主要部により前記ベース及びリング本体の先端接続部を形成するとともに、前記リング本体対応部の環状部対応領域により用紙を綴じる環状のリング本体の環状部を形成するようにしたリングノートの製造方法。
【発明の詳細な説明】
【技術分野】
【０００１】
本発明は、複数枚の用紙がリングにより綴じられたリングノートに関する。
【背景技術】
【０００２】
従来、複数の綴じ孔を有した複数枚の用紙をリングにより綴じてなるリングノートが種々知られている。このようなリングノートを開いて使用する際には、隣接するページ間にリングが露出することとなる。そのため、リングノートを使用する際、例えば筆記中等においては、使用者の手が露出したリングに触れることが少なくない。
【０００３】
ところが、従来のリングは、金属線材を折り曲げ加工等して変形させて作られたものが一般的であり、このようなリングに手が触れると違和感があった。この不具合を解消するために、使用者の手が触れた際に一時的な弾性変形が生じる合成樹脂製等の軟質素材で作られたリングを備えたリングノートが開発されている（例えば、下記特許文献１を参照）。
【０００４】
このリングノートは、厚みが一定の合成樹脂製のシート素材に打ち抜き加工を施して、綴じ孔に挿通される複数の横帯状部と、これら横帯状部と一体に形成される縦帯状部とを備えたリング形成部材を成形し、綴じ孔に横帯状部をそれぞれ貫通させた後に縦帯状部側に巻き上げて、各横帯状部の貫通端部を縦帯状部にそれぞれ溶着により接合することによって作られている。このようなものであると、リングノートを開いた状態で使用する際等に手が触れるリングの各環状部分（横帯状部により形成された部分）がシート素材を打ち抜いただけの扁平形状であるため、これら環状部分の側縁に使用者の手が触れると違和感があった。
【先行技術文献】
【特許文献】
【０００５】
【特許文献１】特許第５３７４７２１号公報
【発明の概要】
【発明が解決しようとする課題】
【０００６】
本発明は、以上のような課題を解決し、使用感を良好なものとすることができるリングノート、及びこのリングノートの好ましい製造方法を提供することを目的とする。
【課題を解決するための手段】
【０００７】
本発明は、以上のような課題を解決するために、次のような構成を採用したものである。すなわち、本発明に係るリングノートは、綴じ孔を有した複数枚の用紙を合成樹脂製のリングにより綴じてなるものであって、前記リングが、前記綴じ孔にそれぞれ挿通された複数のリング本体と、これらリング本体の基端を相互に連結するとともに前記各リング本体の先端側を保持して各リング本体を閉環状に維持するベースとを具備してなり、前記リング本体が、用紙を綴じる環状部と、前記ベースに溶着された先端接続部とを備えたものであり、前記環状部が、外面側の両側縁に面取形状部分を備えたものであることを特徴とする。
【０００８】
ここで、「用紙」は、リングノートとして製本され得るシート状のものであればよく、紙製のものの他、プラスチック製のものも含まれる。また、用紙の用途としては、筆記用のものや貼り付け用のもの等が考えられる。
【０００９】
また、「環状」とは、必ずしも滑らかな円形状になっている必要はなく、一部にかどばった部分があるものも含む概念である。
【００１０】
「溶着」は、ニクロム線等を用いた熱溶着の他、超音波による溶着や高周波による溶着等も考えられる。
【００１１】
前記環状部の好適な一態様としては、横断面において中央から両側縁に向かって漸次薄肉となる形状をなしているものが挙げられる。
【００１２】
前記リングが、前記リング本体を形成するためのリング本体対応部と、前記ベースを形成するためのベース対応部とを備えたリング形成部材により作られたものであって、前記リング本体対応部が、環状部対応領域と、この環状部対応領域の先端側に連続して設けられた先端接続部対応領域とを備えたものであり、前記環状部対応領域を強制的に湾曲変形させて前記先端接続部対応領域をベース対応部に溶着することにより、前記環状部が前記環状部対応領域により形成されるものが好ましい。
【００１３】
上述したリングノートを製造する方法としては、前記環状部に対応する環状部対応領域及び前記先端接続部に対応する先端接続部対応領域を備えたリング本体対応部と、前記ベースに対応するベース対応部とを備えた合成樹脂製のリング形成部材をインジェクション成型により一体に形成し、このリング形成部材の複数のリング本体対応部を用紙の複数の綴じ孔にそれぞれ挿通し、それら各リング本体対応部を湾曲変形させて当該リング本体対応部の先端接続部対応領域を前記ベース対応部に溶着し、前記ベース対応部の主要部以外の部位及びこのベース対応部に溶着されているリング本体対応部の先端接続部対応領域の主要部以外の部位を切り離し、前記主要部により前記ベース及びリング本体の先端接続部を形成するとともに、前記リング本体対応部の環状部対応領域により用紙を綴じる環状のリング本体の環状部を形成するようにしたものが好ましい。
【発明の効果】
【００１４】
本発明は、以上のような構成であるから、使用感を良好なものとすることができるリングノート、及びこのリングノートの好ましい製造方法を提供することができる。
【図面の簡単な説明】
【００１５】
【図１】本発明の一実施形態を示すリングノートの全体図。
【図２】同実施形態の要部を拡大して示す拡大斜視図。
【図３】同実施形態の要部を拡大して示す正面図。
【図４】同実施形態の底面側を拡大して示す拡大底面図。
【図５】図３のＸ−Ｘ線断面で示すリングと全ての用紙を片側に寄せた状態を示す図。
【図６】図３のＹ−Ｙ線拡大端面図。
【図７】同実施形態のリングを形成するリング形成部材を示す説明図。
【図８】同実施形態のリング形成部材を拡大して示す平面図。
【図９】図８のＺ−Ｚ線断面図。
【図１０】同実施形態のリングノートの製造方法を示す説明図。
【図１１】同実施形態のリングノートの製造方法を示す説明図。
【図１２】同実施形態のリングノートの製造方法を示す説明図。
【図１３】本発明の変形例にかかるリングの図６に対応する図。
【図１４】本発明の他の変形例にかかるリングの図６に対応する図。
【図１５】本発明のさらに他の変形例にかかるリングの図６に対応する図。
【発明を実施するための形態】
【００１６】
以下、本発明の一実施形態について図面を参照しながら説明する。
【００１７】
本実施形態にかかるリングノートＮは、図１〜図５に示すように、綴じ孔１１、２１、３１を有した複数枚の用紙である表紙１、２及び中紙３をリング４により綴じてなるものである。具体的には、このリングノートＮは、合成樹脂製のシートや厚紙等により作られた表表紙１及び裏表紙２と、これら表表紙１及び裏表紙２の間に配される筆記用の複数枚の中紙３と、これら表表紙１、裏表紙２及び中紙３の綴じ元に形成された複数の綴じ孔１１、２１、３１を用いてこれら表表紙１、裏表紙２及び中紙３を綴じるリング４とから構成される。綴じ孔１１、２１、３１は矩形状をなす通常のものであり、表表紙１、裏表紙２及び中紙３の綴じ元側にそれぞれ所定のピッチで複数設けられている。
【００１８】
前記リング４は、図１〜図６に示すように、軟質樹脂、例えば、ポリプロピレン等の合成樹脂製のものであり、前記綴じ孔１１、２１、３１にそれぞれ挿通された複数のリング本体５と、これらリング本体５の基端を相互に連結するとともに前記各リング本体５の先端側を保持して各リング本体５を閉環状に維持するベース６とを具備してなる。
【００１９】
前記各リング本体５は、図１〜図６に示すように、前記ベース６の一側縁６ａ側に位置し表表紙１、裏表紙２及び中紙３を綴じる環状部５１と、前記ベース６に溶着された先端接続部５２とを備えたものである。このリング本体５は、前記環状部５１に使用者の手が触れた際に一時的な弾性変形が生じるが、その外力が解除されると元の閉環状をなす湾曲形状に自己復帰し得る軟質素材で作られている。すなわち、このリング本体５は、素材と形状と厚みのバランスによって、外力が加わらない限り所定のリング形状を維持する定型性を備えているとともに、弾性変形時に厚み方向に一時的に潰れた後、再び元の形状に復帰する復元性を備えている。
【００２０】
前記各環状部５１は、図１〜図６に示すように、外面５５側の両側縁５６に面取形状部分５７を備えたものであり、図６に示すように、横断面において中央から両側縁５６に向かって漸次薄肉となる形状をなしている。また、この環状部５１は、後述するベース６の接合部６１の一側縁６１ａから立ち上がる平面帯状部分５３と、この平面帯状部分５３の先端に連続して形成され湾曲して前記先端接続部５２に至る曲面帯状部分５４とを備えている。前記平面帯状部分５３は、表表紙１、裏表紙２及び中紙３の綴じ元側の端縁１２、２２、３２及びこれに対応する反綴じ元側の端縁を揃えるためのもので、表表紙１、裏表紙２及び中紙３の合計厚み寸法に対応させた長さ寸法を備えている。前記曲面帯状部分５４は、開閉される表表紙１や中紙３を案内するためのもので、部分的に円弧形状をなしている。
【００２１】
前記各先端接続部５２は、図２〜図５に示すように、前記リング本体５の環状部５１の先端に連続して設けられたもので、前記ベース６の接合部６１に溶着されている。前記先端接続部５２のベース６に対する溶着面には、位置決め用突起５８が設けられており、この位置決め用突起５８が後述するベース６に設けられた位置決め用凹所６３に係わり合っている。前記位置決め用突起５８は、例えば、円柱状のものである。
【００２２】
前記ベース６は、図１〜図５に示すように、前記先端接続部５２が溶着される接合部６１と、これら接合部６１以外の非接合部６２とを長手方向に交互に備えたものであり、平板状をなしている。本実施形態のベース６は、前記非接合部６２の一側縁６２ａを前記接合部６１の一側縁６１ａよりも前記環状部５１から離れる方向に偏位させて、図５に示すように、前記接合部６１及び前記先端接続部５２の一部が用紙である裏表紙２、表表紙１及び一部の中紙３の綴じ孔２１、１１、３１内に入り込み得るように構成されている。詳述すれば、前記ベース６は、前記中紙３と裏表紙２との間に位置させたものであって、前記中紙３と前記ベース６とが接し得るとともに前記裏表紙２と前記先端接続部５２が接し得るように配されており、前記接合部６１及び前記先端接続部５２の一部が、少なくとも裏表紙２の綴じ孔２１に入り込み得るように構成されている。なお、前記ベース６の接合部６１及びリング本体５の先端接続部５２の幅寸法は、前記環状部５１の幅寸法とほぼ同一に設定されている。また、本実施形態のベース６には、溶着される際に前記位置決め用突起５８と係わり合ってリング本体５の先端接続部５２と当該ベース６とを位置決めするための位置決め用凹所６３が設けられている。前記位置決め用凹所６３は、前記位置決め用突起５８が係合可能な形状、例えば、円形孔である。
【００２３】
前記リング４は、図７〜図９に示すように、前記リング本体５を形成するためのリング本体対応部８と、前記ベース６を形成するためのベース対応部９とを備えたリング形成部材７により作られたものである。前記リング本体対応部８と前記ベース対応部９とは、軟質素材である合成樹脂により一体にインジェクション成形されたものである。
【００２４】
前記リング本体対応部８は、図７〜図９に示すように、前記環状部５１を形成するための環状部対応領域８１と、この環状部対応領域８１の先端側に連続して設けられ前記先端接続部５２を形成するための先端接続部対応領域８２とを備えたものである。
【００２５】
前記各環状部対応領域８１は、図７〜図９に示すように、予備的に湾曲した立体形状をなしている。具体的には、前記平面帯状部分５３を形成するための平面帯状部分対応箇所８３と、前記曲面帯状部分５４を形成するための第１、第２の曲面帯状部分対応箇所８４、８５とを備えている。前記平面帯状部分対応箇所８３は、ベース対応部９の一側縁から屈曲させた状態で延出する平帯状のものである。前記第１の曲面帯状部分対応箇所８４は、前記平面帯状部分対応箇所８３の先端から屈曲させた状態で延出する湾曲帯状のもので、縦断面視において部分円弧状をなしている。前記第２の曲面帯状部分対応箇所８５は、前記第１の曲面帯状部分対応箇所８４の先端から連続して延びる湾曲帯状のもので、縦断面視において部分円弧状をなしている。前記第１の曲面帯状部分対応箇所８４の曲率と第２の曲面帯状部分対応箇所８５の曲率とは、相互に異ならせてある。前記第１、第２の曲面帯状部分対応箇所８４、８５は、完成された環状部５１の曲面帯状部分５４がほぼ円弧状をなすように設計されており、前記各曲率はその目的に沿った値に設定されている。すなわち、前記環状部対応領域８１を強制的に湾曲変形させて前記先端接続部対応領域８２をベース対応部９に溶着することにより、前記環状部５１が前記環状部対応領域８１により形成されるものであり、この環状部５１が、縦断面視において部分円弧状をなすように前記第１、第２の曲面帯状部分対応箇所８４、８５の曲率が設定されている。
【００２６】
前記各先端接続部対応領域８２は、図７〜図９に示すように、前記第２の曲面帯状部分対応箇所８５の先端から屈曲した状態で延出する平帯状のもので、一面側に前記ベース対応部９に溶着される溶着面８６を備えている。この溶着面８６には、前記位置決め用突起５８と、溶着される際に優先的に溶融して溶着面８６と後述する溶着面９３との溶着を促進する溶着促進要素８７を備えている。前記溶着促進要素８７は、前記溶着面８６における前記位置決め用突起５８の近傍に配されており、前記溶着面８６に一体に形成されている。具体的には、半球状をなす溶着促進要素８７が、所定のパターンで複数個、前記溶着面８６上に配置されている。先端接続部対応領域８２は、前記リング本体５の先端接続部５２に相当する主要部８８と、リング４完成前に切り離される主要部以外の部位８９とを備えており、前述した位置決め用突起５８及び溶着促進要素８７は、前記主要部８８に形成されている。なお、図７〜図１１では、主要部以外の部位８９にパターンを付して示している。
【００２７】
前記ベース対応部９は、図７〜図９に示すように、平帯状のもので、前記接合部６１に対応する接合部対応領域９１と、前記非接合部６２に対応する非接合部対応領域９２とを交互に備えている。各接合部対応領域９１の一面側には、前記先端接続部対応領域８２に溶着される溶着面９３を備えている。この溶着面９３には、前記位置決め用凹所６３と、溶着される際に優先的に溶融して溶着面８６、９３同士の溶着を促進する溶着促進要素９４を備えている。前記溶着促進要素９４は、前記溶着面９３における前記位置決め用凹所６３の近傍に配されており、前記溶着面９３に一体に形成されている。具体的には、半球状をなす溶着促進要素９４が、所定のパターンで複数個、前記溶着面９３上に配置されている。接合部対応領域９１における溶着促進要素９４の配置パターンは、先端接続部対応領域８２における溶着促進要素８７の配置パターンと異ならせてあり、溶着される際に接合部対応領域９１の溶着促進要素９４と先端接続部対応領域８２の溶着促進要素８７とが干渉しないように設定されている。また、ベース対応部９は、前記ベース６に相当する主要部９５と、リング４完成前に切り離される主要部以外の部位９６とを備えており、前述した位置決め用凹所６３及び溶着促進要素９４は、前記主要部９５に形成されている。なお、図７〜図１１では、主要部以外の部位９６にパターンを付して示している。
【００２８】
次に、上述したリングノートＮを製造する方法について、図１０〜図１２を用いて説明する。
【００２９】
まず、前記環状部５１に対応する環状部対応領域８１及び前記先端接続部５２に対応する先端接続部対応領域８２を備えたリング本体対応部８と、前記ベース６に対応するベース対応部９とを備えた合成樹脂製のリング形成部材７をインジェクション成型により一体に形成する。この段階では、リング形成部材７は、図９に示すような立体的な形状をなしている。
【００３０】
次いで、このリング形成部材７の複数のリング本体対応部８を用紙である表表紙１、裏表紙２及び中紙３の複数の綴じ孔１１、２１、３１にそれぞれ挿通する。すなわち、一定枚数の中紙３及び表紙１、２を揃えた状態で、綴じ孔１１、２１、３１に前記リング形成部材７のリング本体対応部８をそれぞれ貫通させ、その貫通端部である各先端接続部対応領域８２を図示しない治具によりそれぞれ保持する。
【００３１】
そして、図１０に示すように、前記治具を移動させることによりそれら各リング本体対応部８を湾曲変形させて、当該リング本体対応部８の先端接続部対応領域８２を前記ベース対応部９に添接させる。しかる後に、図１１に示すように、その添接部分を溶着する。前記リング本体対応部８の各先端接続部対応領域８２を前記ベース対応部９にそれぞれ添接させる際には、前記先端接続部対応領域８２の各位置決め用突起５８と、前記ベース対応部９の各位置決め用凹所６３とがそれぞれ係合して、前記先端接続部対応領域８２と前記ベース対応部９との位置ずれが防止される。また、この添接部分を加熱状態で挟圧して溶着処理を施す際には、前記溶着促進要素８７、９４が優先的に溶融して溶着面８６、９３に広がるため、円滑かつ確実な溶着が可能になる。
【００３２】
このようにして溶着が完了した後、前記ベース対応部９の主要部以外の部位９６及びこのベース対応部９に溶着されているリング本体対応部８の先端接続部対応領域８２の主要部以外の部位８９を切り離し、図１２に示すようなリングノートＮを得る。
【００３３】
以上に述べたように、本実施形態に係るリングノートＮは、綴じ孔１１、２１、３１を有した複数枚の用紙である表表紙１、裏表紙２及び中紙３を合成樹脂製のリング４により綴じてなるものであって、前記リング４が、前記綴じ孔１１、２１、３１にそれぞれ挿通された複数のリング本体５と、これらリング本体５の基端を相互に連結するとともに前記各リング本体５の先端側を保持して各リング本体５を閉環状に維持するベース６とを具備してなり、前記リング本体５が、表表紙１、裏表紙２及び中紙３を綴じる環状部５１と、前記ベース６に溶着された先端接続部５２とを備えたものであり、前記環状部５１が、外面５５側の両側縁５６に面取形状部分５７を備えたものである。
【００３４】
このリングノートＮが筆記等の目的で使用される際には、隣接する中紙３間にリング４が露出することになるが、前記リング４が上述した面取形状部分５７を備えたものであるため、シート素材を打ち抜いただけでリングの環状部分が形成された扁平形状の従来品と異なり、これら環状部５１に使用者の手が触れた際の違和感を抑制ないし解消することができ、筆記等の行いやすいリングノートＮとすることができる。その上、綴じ孔１１、２１、３１の開口端縁が環状部５１の側縁５６に引っ掛かりにくくなるため、表紙１、２や中紙３のめくり動作を円滑に行うことができる。すなわち、本実施形態のリングノートＮによれば、書きやすさとめくりやすさを両立させることができる。特に、本実施形態の環状部５１は、外面５５側の両側縁５６の角を丸く設定しているとともに、内面５９側の両側縁５６の角も丸く設定しているので、角張り部分を可及的に少なくできる。
【００３５】
本実施形態では前記環状部５１が、横断面において中央から両側縁５６に向かって漸次薄肉となる形状をなしているので、上述した面取形状部分５７の書きやすさ、めくりやすさに加えて、リング４としての剛性を兼ね備えることができる。すなわち、環状部５１の中央が例えば０．６ｍｍ程度の比較的厚みを有したものであるため、環状部５１に使用者の手が触れて一時的に弾性変形した後、その外力が解除されると元の円環状をなす湾曲形状に自己復帰して、その形状を維持することができる。このように、本実施形態のリング４の環状部５１によれば、当該リング４を形成する素材（材質）と、リング４の形状と、リング４の厚みとのバランスによって、通常は円環形状を維持するとともに、使用者の手等が当該リング４に当たって押圧された際にはその円環形状が潰れる方向に変形し、使用者の手等がリング４から離れた後には、元の円環形状に復帰させることが可能である。特に、従来のものは、環状部の横断面における縦幅寸法が例えば０．２ｍｍ程度の比較的薄いものであったため、所望の形状を維持することが難しかったが、本実施形態のようなものであれば、繰り返しの弾性変形にも耐え得る。すなわち、本実施形態のリング４によれば、従来のリングに比べて定型性と復元性とを向上させることができる。
【００３６】
前記リング４が、前記リング本体５を形成するためのリング本体対応部８と、前記ベース６を形成するためのベース対応部９とを備えたリング形成部材７により作られたものであって、前記リング本体対応部８が、環状部対応領域８１と、この環状部対応領域８１の先端側に連続して設けられた先端接続部対応領域８２とを備えたものであり、前記環状部対応領域８１を強制的に湾曲変形させて前記先端接続部対応領域８２をベース対応部９に溶着することにより、前記環状部５１が前記環状部対応領域８１により形成されるものである。そして、前記リング本体対応部８と前記ベース対応部９とが、合成樹脂により一体にインジェクション成形されたものであり、前記環状部対応領域８１が、予備的に湾曲した立体形状をなしている。すなわち、リング形成部材７の段階で立体形状をなしているため、この環状部対応領域８１によって形成された環状部５１を、表表紙１、裏表紙２及び中紙３を円滑に案内できる形状にしやすい。
【００３７】
本実施形態によれば、前記環状部５１を形成する環状部対応領域８１が、２種類の異なる湾曲形状を持つ第１、第２の曲面帯状部分対応箇所８４、８５を備えているので、前記先端接続部対応領域８２をベース対応部９に溶着した段階で、前記環状部５１を所望の形状に設定することができ、リング形成部材７の各部分に不要な応力をかかりにくくすることができる。また、前記環状部５１を形成する際に、予備的に湾曲した前記リング本体対応部８の湾曲度合いを強めるだけでよいので、溶着部分にかかるストレス（先端接続部対応領域８２がベース対応部９から離れようとする反発力）を、従来の平坦な樹脂シートを湾曲させたものに比べて小さくできる。
【００３８】
前記環状部５１が、前記ベース６から立ち上がる平面帯状部分５３と、この平面帯状部分５３の先端に連続して形成される曲面帯状部分５４とを備えたものであり、ベース６に隣接する箇所に平面帯状部分５３が形成されているので、この平面帯状部分５３において複数枚重なった用紙である表表紙１、裏表紙２及び中紙３の綴じ孔１１、２１、３１が整然と揃い、重なった表表紙１、裏表紙２及び中紙３の横方向へのずれを抑制することができる。詳述すれば、このリング本体５の環状部５１は、平面帯状部分５３と曲面帯状部分５４とを備えた全体として底面視ほぼＤ字形状をなしている。ここで、表紙１、２及び中紙３の合計厚み寸法は、前記平面帯状部分５３の長さ寸法とほぼ同じ、または若干小さく設定してあるので、前記表紙１、２及び中紙３の綴じ孔１１、２１、３１内にリング本体５の平面帯状部分５３が入った状態で、前記綴じ孔１１、２１、３１が整然と揃うこととなる。
【００３９】
また、本実施形態のリングノートＮの製造方法は、前記環状部５１に対応する環状部対応領域８１及び前記先端接続部５２に対応する先端接続部対応領域８２を備えたリング本体対応部８と、前記ベース６に対応するベース対応部９とを備えた合成樹脂製のリング形成部材７をインジェクション成型により一体に形成し、このリング形成部材７の複数のリング本体対応部８を表表紙１、裏表紙２及び中紙３の複数の綴じ孔１１、２１、３１にそれぞれ挿通し、それら各リング本体対応部８を湾曲変形させて当該リング本体対応部８の先端接続部対応領域８２を前記ベース対応部９に溶着し、前記ベース対応部９の主要部以外の部位９６及びこのベース対応部９に溶着されているリング本体対応部８の先端接続部対応領域８２の主要部以外の部位８９を切り離し、前記主要部８８、９５により前記ベース６及びリング本体５の先端接続部５２を形成するとともに、前記リング本体対応部８の環状部対応領域８１により表表紙１、裏表紙２及び中紙３を綴じる環状のリング本体５の環状部５１を形成するようにしたものである。
【００４０】
そのため、溶着段階ではリング本体対応部８の先端接続部対応領域８２とベース対応部９との溶着面積を広くして、これらを確実に溶着させることができる。また、前記ベース対応部９とリング本体対応部８の先端接続部対応領域８２の主要部以外の部位９６、８９を最後に切り離すことにより、ベース６の他側縁側、すなわちリング４の端部を整然とさせることができる。なお、溶着の際、溶着促進要素８７、９４の一部が前記主要部以外の部位８９、９６側に流れ出すことも考えられるが、前記切り離し作業により製品としてのリング４には残らないので問題とはならない。
【００４１】
また、複数のリング本体５は、複数設けられた綴じ孔１１、２１、３１にそれぞれ対応して挿通されたものであり、本実施形態では、矩形状の綴じ孔１１、２１、３１の縦方向の辺の寸法を前記リング形成部材７の環状部対応領域８１の幅寸法にほぼ一致させているため、前記環状部対応領域８１に対応したリング４の環状部５１がリングノートＮの長手方向側にずれたり変形したりすることも抑制できる。
【００４２】
さらに、ベース６は、平板状をなすものであるためリングノートＮの厚みを比較的抑えることができる。このベース６は、裏表紙２とこの裏表紙２に隣接する中紙３の間に位置させているので、リングノートＮを閉じた際には、表表紙１側及び裏表紙２側のいずれからもベース６が隠蔽されることになる。また、リングノートＮを裏表紙２以外の部分で開いた際にも、前記ベース６は使用者から見えないものとなる。したがって、リングノートＮを通常使用する際には、リング４のうち環状部５１のみが外側に露出することになるため、従来の金属線材のリング等の場合と同じような外観を得ることができる。
【００４３】
また、リング本体５がベース６に溶着で接合される際、リング本体対応部８の先端接続部対応領域８２の溶着面８６及びベース対応部９の溶着面９３が塑性変形するため、リング本体５とベース６とを密着させることができる。
【００４４】
なお、本発明は以上に述べた実施形態に限られない。
【００４５】
例えば、面取形状部分の成形方法は、上述したインジェクション成形によるものに限られず種々変更可能である。例えば、シート素材の打ち抜き加工後に、環状部の外面側の両側縁に切削加工を施して面取形状部分を形成するものであってもよい。
【００４６】
また、面取形状部分の形状は、リングノートの使用感を良好にするようなものであればどのようなものであってもよく、例えば、図１３〜図１５に示すようなものであってもよい。以下、図１３〜図１５では、上述した実施形態に対応する部分には同一の符号を付して詳細な説明を省略する。すなわち、図１３に示すように、環状部５１が、外面５５側の両側縁５６のみに湾曲形状をなす面取形状部分５７を備えたものや、図１４に示すように、環状部５１が、横断面視楕円形状をなしており外面５５側の両側縁５６及び内面５９側の両側縁５６に湾曲形状をなす面取形状部分５７を備えたもの等が考えられる。このように、面取形状部分５７は、環状部５１の内面５９側の両側縁５６には形成されずに外面５５側の両側縁５６のみに形成されているものであってもよく、また、環状部５１の外面５５側の両側縁５６の形状と内面５９側の両側縁５６の形状とが対称なもの／非対称なもの等種々変更可能である。その他、図１５に示すように、環状部５１が、外面５５側の両側縁５６及び内面５９側の両側縁５６に直線形状をなす面取形状部分５７を備えたものであってもよい。すなわち、面取形状部分５７は、湾曲形状のみならず、直線形状のほか、種々変更可能である。
【００４７】
また、リング本体の円弧形状はどのようなものであってもよく、上述した実施形態では、リング本体対応部の環状部対応領域に、異なった曲率を有した２種類の曲面帯状部分対応箇所を設定していたが、上述した目的に沿った、すなわち、完成された環状部の曲面帯状部分が用紙を案内しやすい形状に設計されたものであれば種々変更可能である。曲面帯状部分対応領域の曲率を全体として同じに（曲率を１種類に設定）してもよいし、異なった曲率を有した多種類の曲面帯状部分対応箇所を設定してもよいのはもちろんである。また、曲面帯状部分の形状も、円弧には限られない。
【００４８】
また、上述した実施形態では、リングノートの製造段階で、ベース対応部の主要部以外の部位及びこのベース対応部に溶着されているリング本体対応部の先端接続部対応領域の主要部以外の部位を切り離すようにしていたが、これには限られない。例えば、リング本体対応部の先端接続部対応領域をベース対応部に溶着した後、ベース対応部の他側縁からはみ出した先端接続部対応領域を切り離すようにしたものや、逆に、先端接続部対応領域の先端縁からはみ出したベース対応部を切り離すようにしたものであってもよい。また、リング本体対応部の先端接続部対応領域の先端縁とベース対応部の他側縁とを溶着段階で揃えて、溶着後に切り離し加工を施さないようにしたものであってもよいのはもちろんである。すなわち、リング形成部材が、上述した実施形態における「主要部以外の部位」（余白部分）を備えていないものであってもよい。また、リング本体の先端の形状及びリング本体対応部の先端の形状は、図示した四角形状の他、円弧状や三角形状等であってもよい。
【００４９】
さらに、リング形成部材は、リングノートの縦寸法にほぼ対応する長さ寸法を有したものに限られず、これより短いものであってもよい。その場合には、複数のリング形成部材を用いてリングノートを形成すればよい。すなわち、上述した実施形態では、リングノートの上端から下端まで至る長さ寸法を有する単一のリング形成部材により用紙を綴じるようにしていたが、リングノートの上端から下端までを複数箇所に分けて、上述したものより短い寸法を有する複数のリング形成部材により用紙を綴じるようにしてもよい。
【００５０】
リングノートには、手帳サイズ、通常のノートサイズの他、種々の大きさが考えられる。また、綴じ孔の形状は、矩形の他、円、楕円、その他の形状であってもよい。
【００５１】
ベースと先端接続部との接合方法は、溶着によるものに限られず、接着剤等を用いた接着によるものであってもよい。すなわち、上述した実施形態における「溶着」を「接着」に読み替えてもよい。
【００５２】
リング本体の素材は、前述した合成樹脂の他、例えば、紙等の繊維製、グラスファイバー製、アルミニウムなどの金属、形状記憶合金、繊維を織らずに絡み合わせたシート状の不織布、またはその他適宜の天然素材等であってもよい。
【００５３】
その他、本発明の趣旨を損ねない範囲で種々に変更してよい。
【符号の説明】
【００５４】
Ｎ…リングノート
１１、２１、３１…綴じ孔
４…リング
５…リング本体
５１…環状部
５２…先端接続部
５５…外面
５６…側縁
５７…面取形状部分
６…ベース
７…リング形成部材
８…リング本体対応部
８１…環状部対応領域
８２…先端接続部対応領域
８８…主要部
８９…主要部以外の部位
９…ベース対応部
９５…主要部
９６…主要部以外の部位
【図１】
2015174412.tif 000003
【図２】
2015174412.tif 000004
【図３】
2015174412.tif 000005
【図４】
2015174412.tif 000006
【図５】
2015174412.tif 000007
【図６】
2015174412.tif 000008
【図７】
2015174412.tif 000009
【図８】
2015174412.tif 000010
【図９】
2015174412.tif 000011
【図１０】
2015174412.tif 000012
【図１１】
2015174412.tif 000013
【図１２】
2015174412.tif 000014
【図１３】
2015174412.tif 000015
【図１４】
2015174412.tif 000016
【図１５】
2015174412.tif 000017